(57)【要約】【課題】天板の外側端面に追加するオプション部材が重量物であっても、オプション部材を脚体に安定的にかつ強固に取り付けることのできるデスク装置を提供する。【解決手段】天板２Ａ，２Ｂの幅方向の外側端面に、天板２Ａ，２Ｂの上面と連続する物品載置面を有するキャビネット４７等のオプション部材を突き合わせて取り付けるためのブラケット４５を設ける。ブラケット４５は、オプション部材の下面に当接して当該オプション部材を支持固定するオプション固定フランジ５２と、横梁部２５の幅方向の外側面に取り付けられる脚固定フランジ５１と、を備えた構造とする。【選択図】図１３
2014068919.tif 000002
【特許請求の範囲】
【請求項１】
床面上に設置されて上下方向に延出する２本の脚本体部が、当該脚本体部の上部で横梁部によって相互に連結されて成る一対の脚体と、
前記一対の脚体の上部間に架設された天板と、を備えたデスク装置であって、
前記天板のうちの、前記横梁部の延出方向である奥行方向と直交する幅方向の外側端面に、前記天板の上面と連続する物品載置面を有するオプション部材を突き合わせて取り付けるためのブラケットが前記横梁部に脱着可能に取り付けられ、
前記ブラケットは、前記オプション部材の下面に当接して当該オプション部材を支持固定するオプション固定壁と、前記横梁部の前記幅方向の外側面に取り付けられる脚固定壁と、を有していることを特徴とするデスク装置。
【請求項２】
前記脚体の前記幅方向の外側面は、前記天板の前記幅方向の外側端面よりも内側に配置されていることを特徴とする請求項１に記載のデスク装置。
【請求項３】
前記ブラケットが前記横梁部に取り付けられないときに、当該横梁部上の前記ブラケットの取付座を覆うカバー部材を備え、
前記カバー部材は、前記取付座を覆った状態で外側面が、前記天板の前記幅方向の外側面と面一、若しくは、外側面よりも内側に配置されることを特徴とする請求項２に記載のデスク装置。
【請求項４】
前記横梁部の前記幅方向の外側面には、当該横梁部の前記幅方向の内側に向かって窪む凹状段部が設けられ、前記ブラケットの取付座が前記凹状段部内に設けられていることを特徴とする請求項２または３に記載のデスク装置。
【請求項５】
前記ブラケットは、前記横梁部に取り付けられた状態において、前記オプション固定壁の上面が前記幅方向の外側に向かって上方傾斜するように形成されていることを特徴とする請求項１〜４のいずれか１項に記載のデスク装置。
【発明の詳細な説明】
【技術分野】
【０００１】
この発明は、オフィスの執務空間等で使用されるデスク装置に関するものである。
【背景技術】
【０００２】
オフィスの執務空間等においては、床面上に設置される一対の脚体に天板が支持されたデスク装置が一般的に使用されている。
この種のデスク装置の脚体としては、床面上に沿わせて横向きに載置される下部パイプと、下部パイプの一端部若しくは中央部から上方に向かって延出する縦パイプと、縦パイプの上端部から下部パイプと平行に延出する上部パイプとにより、側面視がコ字状をなすように形成されたもの（いわゆるＬ型脚）や、側面視がエ字状をなすように形成されたもの（いわゆるＴ型脚）が多く見られる。また、パイプ材以外からなる脚体としては、パネル状のものも多く見られる。
【０００３】
これらのデスク装置の構造では、脚体における床面接触部分が大きいため、脚体によって天板ユニットを強固にかつ安定的に支持することができる。しかし、この構造においては、使用者に重厚な印象を与えてしまいデスク装置としての体裁として好ましくない場合がある。また、これらのデスク装置の構造は、脚体の床面接触部分が大きいことから、床面の清掃の際に作業の支障になり易い。
【０００４】
一方、これらの不具合の生じにくいデスク装置として、矩形状の天板ユニットの四隅に棒状の脚体をそれぞれ取り付け、棒状の脚体の各下端を床面上に設置するようにしたものも多く見られる。
ただし、このデスク装置の構造は、棒状の脚体のみによって天板ユニットを支持していることから、デスク装置の側方からの外力に対する強度的な面で不安がある。
【０００５】
こうした問題を解決したデスク装置として、一対の棒状の脚本体部が横梁部によって相互に連結されて成る一対の脚体と、幅方向に離間して配置した一対の脚体の上部同士を連結する複数の連結杆とを設け、各脚体の横梁部と連結杆の上面に天板ユニットを取り付けるようにしたものが案出されている（例えば、特許文献１参照。）。
【０００６】
また、この種のデスク装置において、脚体の上部の横梁部の外側面に、延長天板やキャビネット等のオプション部材を後から追加できることが望まれることがある。
【０００７】
こうした要望に対応するデスク装置として、複数の脚体を連結する連結杆に天板を支持させるとともに、連結杆の上面を脚体の上面よりも高く設定し、脚体の上面と天板の間の隙間を通して延長天板の下面を支持する板状の補助ステーを設置できるようにしたものが案出されている（例えば、特許文献２参照。）。
【先行技術文献】
【特許文献】
【０００８】
【特許文献１】特開２００８−１１９４１２号公報
【特許文献２】特開２００８−１１９４１３号公報
【発明の概要】
【発明が解決しようとする課題】
【０００９】
しかしながら、上記従来のデスク装置は、脚体の上面と天板の間の隙間から板状の補助ステーを天板の外側に延出させ、その補助ステーの延出部の上面にオプション部材である延長天板を支持させる構造とされているため、オプション部材が重量物である場合に支持強度の面で不安がある。
【００１０】
そこでこの発明は、天板の外側端面に追加するオプション部材が重量物であっても、オプション部材を脚体に安定的にかつ強固に取り付けることのできるデスク装置を提供しようとするものである。
【課題を解決するための手段】
【００１１】
この発明に係るデスク装置では、上記課題を解決するために以下の構成を採用した。
請求項１に係る発明は、床面上に設置されて上下方向に延出する２本の脚本体部が、当該脚本体部の上部で横梁部によって相互に連結されて成る一対の脚体と、前記一対の脚体の上部間に架設された天板と、を備えたデスク装置であって、前記天板のうちの、前記横梁部の延出方向である奥行方向と直交する幅方向の外側端面に、前記天板の上面と連続する物品載置面を有するオプション部材を突き合わせて取り付けるためのブラケットが前記横梁部に脱着可能に取り付けられ、前記ブラケットは、前記オプション部材の下面に当接して当該オプション部材を支持固定するオプション固定壁と、前記横梁部の前記幅方向の外側面に取り付けられる脚固定壁と、を有していることを特徴とするものである。
この発明の場合、天板の幅方向の外側端面にオプション部材を追加するときには、ブラケットを、脚固定壁部分で横梁部の幅方向の外側面に取り付け、オプション部材を天板の幅方向の外側端面に突き合わせた状態において、ブラケットのオプション固定壁にオプション部材を支持固定する。
【００１２】
請求項２に係る発明は、請求項１に係るデスク装置において、前記脚体の前記幅方向の外側面は、前記天板の前記幅方向の外側端面よりも内側に配置されていることを特徴とするものである。
これにより、横梁部上のブラケットの取付部が天板の下方の幅方向の内側に位置されるようになり、外観の低下が回避される。
【００１３】
請求項３に係る発明は、請求項２に係るデスク装置において、前記ブラケットが前記横梁部に取り付けられないときに、当該横梁部上の前記ブラケットの取付座を覆うカバー部材を備え、前記カバー部材は、前記取付座を覆った状態で外側面が、前記天板の前記幅方向の外側面と面一、若しくは、外側面よりも内側に配置されることを特徴とするものである。
これにより、横梁部にオプション部材を取り付けない場合にも、ブラケットの取付座を覆うカバー部材が天板の下方で幅方向の外側に突出しなくなり、外観の低下が回避される。また、天板の幅方向の端面を別のデスク装置の天板や壁等に近接させて配置する場合に、天板と他のデスク装置や壁等との間に隙間が生じることがなくなる。
【００１４】
請求項４に係る発明は、請求項２または３に係るデスク装置において、前記横梁部の前記幅方向の外側面には、当該横梁部の前記幅方向の内側に向かって窪む凹状段部が設けられ、前記ブラケットの取付座が前記凹状段部内に設けられていることを特徴とするものである。
【００１５】
請求項５に係る発明は、請求項１〜４のいずれか１項に係るデスク装置において、前記ブラケットは、前記横梁部に取り付けられた状態において、前記オプション固定壁の上面が前記幅方向の外側に向かって上方傾斜するように形成されていることを特徴とするものである。
これにより、ブラケットにオプション部材の大きな重量が加わった場合におけるオプション部材の幅方向外側が下方傾斜するのを未然に防止することができる。
【発明の効果】
【００１６】
この発明によれば、天板の外側端面にオプション部材を追加する場合に、ブラケットの脚固定壁を脚体の横梁部の幅方向の外側面に取り付け、その状態でブラケットのオプション固定壁でオプション部材の下面を支持することができるため、オプション部材の荷重をブラケットを介して横梁部の幅方向外側の外側面に支持させることができる。したがって、この発明によれば、追加するオプション部材が重量物であっても、オプション部材を脚体に安定的にかつ強固に取り付けることができる。
【図面の簡単な説明】
【００１７】
【図１】この発明の一実施形態のデスク装置の斜視図である。
【図２】この発明の一実施形態のデスク装置の平面図である。
【図３】この発明の一実施形態のデスク装置の天板支持体の斜視図である。
【図４】この発明の一実施形態の脚体の拡大斜視図である。
【図５】この発明の一実施形態の脚体の図４のＡ−Ａ断面に対応する断面図である。
【図６】この発明の一実施形態の脚体の上面図である。
【図７】この発明の一実施形態の脚体の幅方向内側方向から見た図である。
【図８】この発明の一実施形態の支持アームの図４のＢ矢視に対応する斜視図である。
【図９】この発明の一実施形態の脚体の図４のＣ矢視に対応する斜視図である。
【図１０】この発明の一実施形態の脚体の図４のＤ−Ｄ断面に沿って一部を断面にした上面図である。
【図１１】この発明の一実施形態の脚体の図４のＡ−Ａ断面を含む部分断面斜視図である。
【図１２】この発明の一実施形態のデスク装置のオプション部材を取り付けた場合における正面図である。
【図１３】この発明の一実施形態のデスク装置のオプション部材を取り付けた場合における部分断面側面図である。
【図１４】この発明の別の実施形態のデスク装置のオプション部材を取り付けた場合における部分断面側面図である。
【図１５】この発明のさらに別の実施形態のデスク装置のオプション部材を取り付けた場合における部分断面側面図である。
【発明を実施するための形態】
【００１８】
以下、この発明の一実施形態のデスク装置を図面に基づいて説明する。
なお、以下の説明においては、床面Ｆと直角な方向を上下方向と呼び、天板ユニット１００の長尺な方向（長手方向）を幅方向、天板ユニット１００の短尺な方向を奥行方向と呼ぶものとし、図中ＬＨ，ＲＨを結ぶ矢印は幅方向を指し、図中ＦＲ，ＲＲを結ぶ矢印は奥行方向を指すものとする。奥行方向は、後述する脚体２０の横梁部２５の延出方向と一致する方向であり、幅方向は、上下方向と奥行方向に対して直交する方向である。また、以下で説明する各実施形態においては、同一部分に同一符号を付して重複する説明を省略するものとする。
【００１９】
図１は、床面Ｆ上に設置されたデスク装置１の全体を示す図であり、図２は、デスク装置１の幅方向の半分の上面視を示す図である。また、図３は、天板ユニット１００が取り付けられる天板支持体１０を示す図である。なお、図３においては、天板ユニット１００を仮想線で示している。
図１〜図３に示すように、天板ユニット１００は、平面視が矩形状の４枚の天板部材２ａ，２ｂ，２ｃ，２ｄを有している。天板部材２ａ，２ｂ，２ｃ，２ｄは、各２枚の天板部材２ａ，２ｂ、及び、２ｃ，２ｄが長手方向の端面を突き合せて一定の奥行幅の連続した机上面を形成している。これらの連続した机上面を形成する２組の天板部材の対２Ａ，２Ｂ（以下、「天板２Ａ，２Ｂ」と呼ぶ。）が奥行方向の中央に離間スペース３を挟んで対向して配置されるようになっている。天板２Ａ，２Ｂは、長尺な辺が相互に平行になるように対向配置され、奥行方向の中央の離間スペース３は幅方向に沿って連続している。
なお、この実施形態においては、各天板２Ａ，２Ｂが２枚の天板部材２ａ，２ｂ、及び、２ｃ，２ｄによって構成されているが、それぞれ連続した一枚板によって構成することも可能である。
【００２０】
天板支持体１０は、幅方向の両端部に配置される一対の脚体２０，２０と、その一対の脚体２０，２０の上部同士を連結する外側連結杆３０，３０と内側連結杆３１，３１と、を備えている。この実施形態では、一対の脚体２０，２０の間に中間脚２２が配置され、中間脚２２の上部に中継ユニット２３が設けられている。
【００２１】
外側連結杆３０，３０は、天板支持体１０の奥行方向の両側の端部に幅方向に沿うように平行に配置され、天板ユニット１００の天板２Ａ，２Ｂの奥行方向の外側縁部を下方から支持するようになっている。この実施形態の場合、各外側連結杆３０は、一対の金属製の角管部材３０ａ，３０ｂが中継ユニット２３を介して一体に連結され、全体が幅方向に沿って直線状に延出している。
【００２２】
内側連結杆３１，３１は、天板支持体１０の奥行方向の中央領域に外側連結杆３０，３０と平行になるように配置され、天板ユニット１００の天板２Ａ，２Ｂの奥行方向の各内側縁部を下方から支持するようになっている。内側連結杆３１，３１同士は奥行方向に所定距離離間して配置されている。この実施形態の場合、各内側連結杆３１は、一対の金属製の角管部材３１ａ，３１ｂが中継ユニット２３を介して一体に連結され、全体が幅方向に沿って直線状に延出している。なお、内側連結杆３１，３１の各角管部材３１ａ，３１ａ，３１ｂ，３１ｂは、実際には、後に詳述する２つの梯子型の連結ユニット３５Ａ，３５Ｂの構成部品として構成されている。
【００２３】
一方、幅方向両側に配置される脚体２０は、床面Ｆ上に設置されて上下方向に延出する２本の脚本体部２４，２４と、奥行方向に沿って延出して脚本体部２４，２４の上部同士を連結する横梁部２５と、を備えている。各脚本体部２４は、金属製の角パイプによって主要部を構成され、その角パイプの上下の端部にエンドプレートが溶接固定されている。横梁部２５は、プレス成形された２枚の金属プレートが組み合わされ、その主要部が筒状に形成されている。横梁部２５の長手方向の両端部は、脚本体部２４，２４の各上部側面に溶接固定されている。こうして、２本の脚本体部２４，２４の上部に横梁部２５が連結された脚体２０は、幅方向から見た側面視が門型状（開口側が下方を向くコ字形状）となっている。
【００２４】
図４は、脚体２０の一部を拡大して示した図であり、図５は、図４のＡ−Ａ断面に対応する横梁部２５の断面図、図６は、脚体２０の上面図である。また、図７は、脚体２０を幅方向の内側から見た図であり、図８は、脚体２０の部品を斜め下方から見た図、図９は、脚体２０の一部を斜め下方から見た図である。また、図１０は、横梁部２５を図４のＤ−Ｄ断面に沿って断面にした脚体２０の平面図であり、図１１は、図４のＡ−Ａ断面を含む横梁部２５の斜視図である。
脚体２０の横梁部２５の主要部は、図５に示すように、奥行方向に長尺な金属製の第１プレート２５Ａと第２プレート２５Ｂとによって形成されている。第１プレート２５Ａと第２プレート２５Ｂはプレス成形によって屈曲して造形され、両者が相互に溶接されて閉（中空）断面とされている。横梁部２５の幅方向の外側面には、奥行方向に沿って延出する凹状段部２６が形成されている。凹状段部２６は、横梁部２５の外側面の高さ方向のほぼ中央に配置され、同断面形状が横梁部２５の全長に亘って連続している。
【００２５】
凹状段部２６内には、凹状段部２６とほぼ補形をなす形状のカバー部材２７が脱着可能に取り付けられている。カバー部材２７は、例えば、凹凸係合やビス止め等によって凹状段部２６に脱着可能に係止される。また、カバー部材２７の凹状段部２６の外側に露出する側の面は平面とされ、その平面は、カバー部材２７が凹状段部２６に取り付けられたときに、横梁部２５の幅方向の外側の面とほぼ面一となる。
【００２６】
図４，図１０に示すように、凹状段部２６内の平坦な底壁２６ａには、図１２〜図１４に示すキャビネット４７や、図１５に示す延長天板５７等のオプション部材を取り付けるための取付座１２が設けられている。取付座１２には複数のボルト挿通孔１３が設けられ、凹状段部２６の底壁２６ａの裏面側には、ボルト挿通孔１３に挿入されたオプション部材取付用のボルト６０（図１２〜図１５参照。）が螺合される固定ナット４０（図１０，図１１参照。）が取り付けられている。この固定ナット４０の取付部については後に詳述する。カバー部材２７は、横梁部２５にオプション部材を取り付けないときには、凹状段部２６内に同凹状段部２６を閉塞するように取り付けられ、オプション部材を取り付けるときには、凹状段部２６から取り外される。
また、横梁部２５の端部は、上述のように脚本体部２４の上部側面に突き合わせられて溶接固定されるが、脚本体部２４に対する横梁部２５の幅方向外側での溶接個所は、図４中の符号ｗ１，ｗ２，ｗ３で示すように凹状段部２６の内側領域に設定されている。
【００２７】
また、横梁部２５の幅方向内側の上部コーナ部分には、所定深さ下方に窪む段差部３２が奥行方向に沿って連続して設けられている。この段差部３２には、外側連結杆３０，３０の角管部材３０ａまたは３０ｂの幅方向の外側端部を結合するための金属製の支持アーム２８，２８と、内側連結杆３１，３１の角管部材３１ａまたは３１ｂの幅方向の外側端部を結合するための金属製の支持アーム２９，２９が取り付けられている。
各支持アーム２８，２９は、図６〜図１１に示すように、上向きに開口する略コ字状の連結杆保持部２８ａ，２９ａと、横梁部２５の頂部面２５ａと同一高さ位置で略水平に延出し天板２Ａ，２Ｂの下面を支持する天板支持壁２８ｂ，２９ｂと、を備えている。
【００２８】
ここで、内側連結杆３１の角管部材３１ａ，３１ｂの上下方向の高さは、段差部３２の底面３２ａから横梁部２５の頂部面２５ａまでの高さとほぼ等しくなっており、外側連結杆３０の角管部材３０ａ，３０ｂの上下方向の高さは、内側連結杆３１の角管部材３１ａ，３１ｂの上下方向の高さのほぼ半分になっている。
内側連結杆３１を保持する支持アーム２９は、端面が横梁部２５の段差部３２の縦壁３２ｂに突き当てられるとともに、連結杆保持部２９ａの下面（幅方向に沿う面）が段差部３２の底面３２ａに突き当てられ、これらの突き当てられた部分が相互に溶接固定されている。
また、外側連結杆３０を保持する支持アーム２８は、奥行方向外側の端部が略直角に下方に折り曲げられた折り曲げ部２８ｃを備え、全体の端面が横梁部２５の段差部３２の縦壁３２ｂに突き当てられるとともに、図７，図９に示すように、折り曲げ部２８ｃの奥行方向外側の側面（幅方向に沿う面）が段差部３２の側端部に臨む脚本体部２４の内側側面に突き当てられ、これらの突き当てられた部分が相互に溶接固定されている。
【００２９】
ところで、図１０，図１１に示すように、横梁部２５のうちの段差部３２の縦壁３２ｂと、凹状段部２６の底壁２６ａの間には、両者の対向面に当接して横梁部２５の断面を補強する複数のスペーサ部材４１が介装されている。スペーサ部材４１は、断面略ハット状に折り曲げられた金属プレートによって構成され、ハット状断面の両側の鍔に相当するフランジ部４１ａ，４１ａが凹状段部２６の底壁２６ａの裏面（横梁部２５の断面の内側に配置される側の面）に溶接固定されるとともに、ハット状断面の頂部に相当する平坦な頂部面４１ｂが段差部３２の裏面（横梁部２５の断面の内側に配置される側の面）に当接するようになっている。
各スペーサ部材４１は、横梁部２５のうちの支持アーム２８，２８，２９，２９が取り付けられる部位、つまり、外側連結杆３０の連結部の延長上位置と、内側連結杆３１の連結部の延長上位置とに配置されている。なお、図１１においては、図示の都合上、支持アーム２９を取り去った状態で横梁部２５を示している。
【００３０】
また、スペーサ部材４１は、横梁部２５の内部に取り付けられた状態において、両側のフランジ部４１ａ，４１ａが頂部面４１ｂを間に挟んで奥行方向の前後位置に配置される。各フランジ部４１ａには、複数のボルト挿通孔４２（図１０参照。）が設けられるとともに、その各ボルト挿通孔４２と同心になるように前記の固定ナット４０が設けられている。このスペーサ部材４１の各ボルト挿通孔４２と固定ナット４０は、凹状段部２６の底壁２６ａの取付座１２に設けられるボルト挿通孔１３と同心に設けられている。このスペーサ部材４１に設けらた各固定ナット４０には、横梁部２５の幅方向の外側面にオプション部材を取付けるときに、前述のようにオプション部材取付用のボルト６０（図１２〜図１５参照。）が螺合される。したがって、凹状段部２６内に設けられる各取付座１２はスペーサ部材４１の設置部の幅方向の外側に位置している。
【００３１】
一方、一対の脚体２０，２０の間に配置される図３に示す中間脚２２は、フレーム枠に金属プレートが接合されてパネル状に形成されている。中間脚２２の上端部には、中継ユニット２３が一体に取り付けられている。中継ユニット２３は、奥行方向に延出する角筒状のステー１７の幅方向両側の側面に、外側連結杆３０，３０の角管部材３０ａまたは３０ｂの幅方向の内側端部を結合するための金属製の支持アーム１８，１８と、内側連結杆３１，３１の角管部材３１ａまたは３１ｂの幅方向の内側端部を結合するための金属製の支持アーム１９，１９が溶接固定されている。
【００３２】
外側連結杆３０，３０の各角管部材３０ａは、一方の脚体２０の支持アーム２８と中継ユニット２３の一方の側面の支持アーム１８とに架設され、残余の各角管部材３０ｂは、他方の脚体２０の支持アーム２８と中継ユニット２３の他方の側面の支持アーム１８とに架設されている。同様に、内側連結杆３１，３１の各角管部材３１ａは、一方の脚体２０の支持アーム２９と中継ユニット２３の一方の側面の支持アーム１９とに架設され、残余の各角管部材３１ｂは、他方の脚体２０の支持アーム２９と中継ユニット２３の他方の側面の支持アーム１９とに架設されている。
【００３３】
角管部材３１ａ，３１ａを構成部品とする連結ユニット３５Ａは、対向配置される角管部材３１ａ，３１ａ同士が奥行方向に延出する３つブリッジ部材３６ａ，３６ｂ，３６ｃによって連結されている。同様に、角管部材３１ｂ，３１ｂを構成部品とする連結ユニット３５Ｂは、対向配置される角管部材３１ｂ，３１ｂ同士が奥行方向に延出する３つブリッジ部材３６ａ，３６ｂ，３６ｃによって連結されている。連結ユニット３５Ａと３５Ｂは同様の構造とされている。
【００３４】
隣接するブリッジ部材３６ａ，３６ｂ，３６ｃの各間には矩形状の空間部が設けられ、これらの空間部の各下方には、凹状断面の配線ダクト３７（配線受け部材）がそれぞれ配置されている。各配線ダクト３７は、内側連結杆３１，３１の角管部材３１ａ，３１ａ、または、３１ｂ，３１ｂの下面にビス止め等によって固定されている。配線ダクト３７は、デスク装置１の外部から引き込まれた電気配線や通信配線等の配線が内部に通されて保持される部分である。配線ダクト３７内に通された配線は、隣接するブリッジ部材３６ａ，３６ｂ，３６ｃの各間の空間部と、天板ユニット１００の奥行方向中央の離間スペース３を通して天板２Ａ，２Ｂ上に引き出される。
【００３５】
また、連結ユニット３５Ａ，３５Ｂの隣接する各ブリッジ部材３６ａ，３６ｂ，３６ｃには、各２つの配線カバー３８，３８が傾動可能に架設されている。
なお、図１，図２中の符号３９は、奥行方向前後の配線カバー３８，３８の間の隙間を埋める目隠し部材である。
【００３６】
天板ユニット１００の天板２Ａ，２Ｂは、両者の奥行方向の中央に離間スペース３を設けるようにして、天板支持体１０の上部に載置され、その状態で天板支持体１０側の部材である支持アーム２８，２９，１８，１９等に締結固定されている。
【００３７】
ところで、前述した各脚体２０の横梁部２５には、図１２，図１３に示すように、キャビネット４７等を追加設置するための金属製の４つのブラケット４５…が取り付けられるようになっている。
図１２，図１３に示すキャビネット４７は、天板２Ａ，２Ｂの幅方向の外側端面に突き当てられる底板４７ａを有し、その底板４７ａの上面の奥行方向の両端と中央とに、一対の側板４７ｂ，４７ｂと仕切板４７ｃとが立設されるとともに、底板４７ａの上面の幅方向の外側端部に背板４７ｄが立設され、これらの側板４７ｂ，４７ｂと仕切板４７ｃと背板４７ｄの上部が上板４７ｅによって閉じられている。キャビネット４７の底板４７ａは、天板２Ａ，２Ｂと同厚みに形成されている。底板４７ａは、天板２Ａ，２Ｂの幅方向の外側端面と突き合わせて設置されることにより、その上面が天板２Ａ，２Ｂの上面と連続する物品載置面とされる。底板４７ａ上には、ファイルｆや書類等を収納できるようになっている。
【００３８】
各ブラケット４５は、図１３に示すように、側面視が直角三角形状のベース壁５０と、ベース壁５０の直角コーナ部を挟む一辺に連設された脚固定フランジ５１（脚固定壁）と、他辺に連設されたオプション固定フランジ５２（オプション固定壁）と、を備えている。脚固定フランジ５１は、横梁部２５の凹状段部２６の開口に嵌合される上下幅に形成されており、凹状段部２６内の対応する取付座１２に突き当てられ、その状態で取付座１２にボルト締結されるようになっている。また、オプション固定フランジ５２は、その上面にキャビネット４７の底板４７ａが載置され、複数のビス５３…を用いて底板４７ａの下面を固定されるようになっている。
ブラケット４５は、横梁部２５の凹状段部２６内の取付座１２に取り付けられた状態において、オプション固定フランジ５２の上面が幅方向の外側に向かって微小角度α分だけ上方に傾斜するように形成されている。
【００３９】
また、各脚体２０の幅方向の外側面は、天板２Ａ，２Ｂの幅方向の外側端面よりも内側に配置されている。この実施形態の場合、図１４に示すように、脚体２０の脚本体部２４の端面の方が横梁部２５の端面よりも若干幅方向外側に配置されているが、脚本体部２４は天板２Ａ，２Ｂの幅方向の外側端面に対して微小距離ｄだけ幅方向内側に配置されている。
なお、横梁部２５にキャビネット４７等のオプション部材を取り付けないときには、横梁部２５からブラケット４５が取り外されて凹状段部２６がカバー部材２７によって閉じられるが、カバー部材２７は、前述のように凹状段部２６に取り付けられた状態において、外側面（外側露出面）が横梁部２５の幅方向の外側面と面一になるように設定されているため、凹状段部２６に取り付けられたカバー部材２７は天板２Ａ，２Ｂの幅方向の外側端面よりも内側に配置されることになる。
【００４０】
以上のように、この実施形態のデスク装置１は、オプション部材取付用のブラケット４５が、オプション部材の下面に当接してそのオプション部材を支持固定するオプション固定フランジ５２と、横梁部２５の取付座１２に取り付けられる脚固定フランジ５１と、を備えた構造とされているため、例えば、キャビネット４７を天板２Ａ，２Ｂの幅方向の端面に追加する場合には、ブラケット４５の脚固定フランジ５１を横梁部２５の幅方向の外側の取付座１２に取り付け、その状態でブラケット４５のオプション固定フランジ５２でキャビネット４７の下面を支持することができる。このため、オプション部材であるキャビネット４７等の荷重を片持ち構造のブラケット４５を介して横梁部２５の幅方向外側の外側面に支持させることができる。
したがって、このデスク装置１においては、追加するオプション部材が重量物であっても、オプション部材を脚体２０に安定的にかつ強固に取り付けることができる。
【００４１】
また、この実施形態のデスク装置１においては、脚体２０の幅方向の外側面、特に、横梁部２５の幅方向の外側面が天板２Ａ，２Ｂの幅方向の外側端面よりも内側に配置されているため、オプション部材を取り付ける場合に、ブラケット４５の横梁部２５側の固定部である脚固定フランジ５１が天板２Ａ，２Ｂの端面よりも下方内側に位置されるようになり、脚固定フランジ５１やボルト６０等が外部から見えにくくなる。したがって、この構造により、オプション部材の追加時におけるデスク装置１の外観品質が向上する。
【００４２】
この実施形態の場合、オプション部材を取り付けない場合に、取付座１２の前方を覆うカバー部材２７が、天板２Ａ，２Ｂの幅方向の外側端面よりも内側に配置されているため、カバー部材２７が天板２Ａ，２Ｂよりも外側に突出することによる見栄えの低下を防止することができる。また、天板２Ａ，２Ｂの幅方向の端面を別のデスク装置の天板や壁等に近接させて配置する場合にも、カバー部材２７が別なデスク装置や壁等に当接して天板２Ａ，２Ｂの端面と相手部材との間に隙間ができる不具合を無くすことができる。
【００４３】
また、この実施形態では、横梁部２５の幅方向の外側面に、幅方向内側に窪む凹状段部２６が設けられ、その凹状段部２６の内側に取付座１２が設けられているため、天板２Ａ，２Ｂの幅方向の外側端面と横梁部２５の外側面との間の段差を極端に大きくすることなく、ブラケット４５の脚固定フランジ５１やボルト６０が天板２Ａ，２Ｂよりも幅方向外側に突出したり、カバー部材２７が天板２Ａ，２Ｂよりも幅方向外側に突出する不具合を無くすことができる。したがって、デスク装置１の外観品質を高めるうえでより有利となる。
【００４４】
さらに、このデスク装置１においては、ブラケット４５が、横梁部２５に取り付けられた状態において、オプション固定フランジ５２の上面が幅方向の外側に向かって微小角度αだけ上方傾斜するように形成されているため、ブラケット４５にキャビネット４７等のオプション部材の大きな荷重が加わった場合にオプション部材が幅方向外側に下方傾斜するのを未然に防止することができる。
【００４５】
上記の実施形態では、ブラケット４５の脚固定フランジ５１が横梁部２５の凹状段部２６内に嵌合されて、ブラケット４５が凹状段部２６内のみで横梁部２５に支持されているが、図１４に示す実施形態のようにブラケット４５の下端に、凹状段部２６の下方側の開口縁に当接するＬ字状の屈曲部６２を設けるようにしても良い。この場合、屈曲部６２を凹状段部２６の下方側の開口縁に当接させることにより、ブラケット４５に作用するオプション部材の荷重を横梁部２５により強固かつ安定的に支持させることが可能になる。
【００４６】
また、以上では、ブラケット４５によってキャビネット４７を脚体２０に取り付ける場合について説明したが、同様のブラケット４５を同様に用いて、図１５に示すように延長天板５７を脚体２０に取り付けることも可能である。
【００４７】
なお、この発明は上記の実施形態に限定されるものではなく、その要旨を逸脱しない範囲で種々の設計変更が可能である。例えば、上記の実施形態においては、一対の脚体の間に中間脚を配置し、中間脚に設けられた中継ユニットによって外側連結杆や内側連結杆の各角管部材を連結するようにしているが、中間脚は必ずしも必要なものではなく、外側連結杆や内側連結杆を一本の連続したものとしても良い。
【符号の説明】
【００４８】
１  デスク装置
２Ａ，２Ｂ  天板
１２  取付座
２０  脚体
２４  脚本体部
２５  横梁部
２６  凹状段部
２７  カバー部材
４５  ブラケット
４５ａ  脚固定フランジ（脚固定壁）
４５ｂ  オプション固定フランジ（オプション固定壁）
４７  キャビネット（オプション部材）
５７  延長天板（オプション部材）
【図１】
2014068919.tif 000003
【図２】
2014068919.tif 000004
【図３】
2014068919.tif 000005
【図４】
2014068919.tif 000006
【図５】
2014068919.tif 000007
【図６】
2014068919.tif 000008
【図７】
2014068919.tif 000009
【図８】
2014068919.tif 000010
【図９】
2014068919.tif 000011
【図１０】
2014068919.tif 000012
【図１１】
2014068919.tif 000013
【図１２】
2014068919.tif 000014
【図１３】
2014068919.tif 000015
【図１４】
2014068919.tif 000016
【図１５】
2014068919.tif 000017